(57)【要約】【課題】  必要な医療機器を用意することなく、単体でも容易に点検を行うことができるようにする。【解決手段】  アラーム音をテスト用の音声データとして第二の記憶部７に記憶する。テスト用制御部６は、第二の記憶部７に記憶された音声データを再生部９により再生してスピーカ１０から出力する。そして、出力されたテスト用の音声をマイク１により入力し、変換部２によりテスト用のパルス信号に変換して、周波数データと一致するか否かを検出部４により判定するようにしている。これにより、テスト時には、第二の記憶部７に記憶されている音声データをテスト用の音声としてスピーカ１０から出力し、これをマイク１で入力して、第一の記憶部３に記憶されている周波数データとの比較が行われるので、必要な医療機器を用意するなどの多大な労力をかけることなく、単体でも容易に点検を行うことができる。【選択図】        図１
2009056118.tif 000002
【特許請求の範囲】
【請求項１】
医療機器が発するアラーム音をデジタルに変換したパルス信号の各パルスの幅を周波数データとして記憶する第一の記憶部と、
前記アラーム音を含む外部の音声を入力する音声入力部と、
前記音声入力部に入力した前記音声を入力音信号に変換し、この入力音信号から前記アラーム音の帯域の信号を取り出してパルス信号に変換する変換部と、
前記変換部により変換したパルス信号の各パルスの幅と前記第一の記憶部から読み出した周波数データの各パルスの幅とが類似するかどうかを判断し、類似したパルスの数が所定値以上である場合に、前記周波数データと前記パルス信号とが一致すると判定する検出部と、
前記アラーム音をテスト用の音声データとして記憶する第二の記憶部と、
前記第二の記憶部から前記テスト用の音声データを読み出して再生するテスト用音声データ再生部と、
前記テスト用音声データ再生部により再生された前記テスト用の音声データをテスト用の音声として出力する放音部と、
テスト時に、前記テスト用音声データ再生部および前記放音部を動作させ、前記放音部から出力された前記テスト用の音声を前記入力部により入力し、前記変換部によりテスト用のパルス信号に変換して、前記周波数データと一致するか否かを前記検出部により判定するテスト用制御部と、
を備えることを特徴とする医療機器監視装置。
【発明の詳細な説明】
【技術分野】
【０００１】
本発明は、病院、診療所、介護施設等の医療施設の中で入所者に使用される医療機器のアラーム音を認識することで医療機器を監視する医療機器監視装置に関する。
【背景技術】
【０００２】
医療施設として例えば病院では、入院中の患者の生体情報を計測する医療機器や、入院中の患者に対する医療の状況を検知する医療機器を使用して、患者の状況を監視する行為が行われている。このような医療機器を使用する場合、医療機器が異常状態となると、患者の生命に影響を及ぼすため、医療機器が異常状態となったときに、それを看護師や医師などの医療従事者に通知するためのアラーム音を発する機能を備えた医療機器が存在している。
【０００３】
しかしながら、医療機器本体が発するアラーム音を医療従事者が把握するためには、医療従事者は常に医療機器の近辺に居なければならず、全ての医療機器を監視するためには多くの人員を必要とするため、医療従事者の業務効率を著しく損ねてしまうという問題があった。また、医療機器の監視を怠ると、医療機器が発するアラーム音に医療従事者が気付かないケースが存在するため、医療事故を引き起こす要因となってしまうという問題があった。
【０００４】
ところで、医療機器がアラーム音を発していることを通知するために、ナースコール機器と医療機器とを病室の壁面などに設けたコンセントを介して接続し、医療機器からのアラーム音をナースコール機器へ伝達する技術がある。しかしながら、ナースコール機器に使用されるコンセントの形状の違いや医療機器のインターフェースがこのような技術に対応していないなどの問題があり、多くの医療機器では実現できなかった。
【０００５】
そこで、医療機器からの音を検出し、所定の周波数であるか否か、または所定の周波数を超える周波数範囲の音であるか否かを識別することで、検出された音が特定の音であるか否かを判断する医療機器監視装置が知られている（例えば、特許文献１など）。これにより、医療機器が発するアラーム音のみに反応してナースコール設備に信号を発報することができる。
【特許文献１】特開２００６−９５２６３号公報
【０００６】
ところで、上述した特許文献１を含む従来の医療機器監視装置は、医療機器からのアラーム音に対して確実に反応するか否かをテストする必要がある。医療機器監視装置を使用する際に、実際に医療機器を動作させてアラーム音を鳴らし、テストを行うことは可能であるが、医療機器監視装置単体では、テストを行うことができなかった。そのため、テストを行う際には、必要な医療機器を準備するなど多大な労力がかかってしまい、医療機器監視装置を点検することが困難になってしまうという問題があった。
【発明の開示】
【発明が解決しようとする課題】
【０００７】
本発明は、このような問題を解決するために成されたものであり、必要な医療機器を用意することなく、医療機器監視装置単体でも容易に動作テストなどの点検を行うことができるようにすることを目的とする。
【課題を解決するための手段】
【０００８】
上述した課題を解決するために、本発明では、医療機器が発するアラーム音を変換したパルス信号の各パルスの幅を周波数データとして第一の記憶部にあらかじめ記憶しておく。この状態で、医療機器がアラーム音を発すると、音声入力部はアラーム音を含む入力音を入力し、変換部は、入力音を入力音信号に変換し、この入力音信号からアラーム音の帯域の信号を取り出してパルス信号に変換する。検出部は、変換部により変換されたパルス信号のパルスの幅と、第一の記憶部から読み出した周波数データのパルス幅とが類似するかどうかを判断し、類似したパルスの数により周波数データとパルス信号との一致を判定する。一方で、アラーム音をテスト用の音声データとして第二の記憶部に記憶する。この状態でテストが行われると、テスト用制御部は、第二の記憶部に記憶されたテスト用の音声データを再生して放音部から出力する。そして、出力されたテスト用の音声を入力部により入力し、変換部によりテスト用のパルス信号に変換して、周波数データと一致するか否かを検出部により判定するようにしている。
【発明の効果】
【０００９】
上記のように構成した本発明によれば、医療機器が発するアラーム音と同等のアラーム音が音声データとして第二の記憶部に記憶されており、テスト時には、その音声データをテスト用の音声として放音部から出力し、音声入力部により入力して、実際の処理と同様に第一の記憶部に記憶されている周波数データとの比較が行われるので、必要な医療機器を用意するなどの多大な労力をかけることなく、医療機器監視装置単体でも容易に動作テストなどの点検を行うことができる。
【発明を実施するための最良の形態】
【００１０】
以下、本発明の一実施形態を図面に基づいて説明する。図１は、本実施形態による医療機器監視装置の構成例を示すブロック図である。本実施形態では、病院で使用される医療機器として、病室内の病床の近くで患者に使用される医療機器のアラーム音を検出対象とする場合を例として説明する。図１に示すように、本実施形態による医療機器監視装置は、マイク（特許請求の範囲の音声入力部に該当する）１、変換部２、第一の記憶部３、検出部４、インターフェース５、テスト用制御部６、第二の記憶部７、テスト操作部８、再生部（特許請求の範囲のテスト用音声データ再生部に該当する）９、スピーカ（特許請求の範囲の放音部に該当する）１０を備えて構成されている。さらに、検出部４は、図２に示すように、アドレスカウンタ４ａ、制御回路４ｂ、パルス幅測定回路４ｃ、パルス幅比較回路４ｄ、パルス幅類似カウンタ４ｅ、一致検出回路４ｆを備えて構成されている。
【００１１】
マイク１は、医療機器の近傍に設置されて用いられる。また、マイク１は、医療機器が発するアラーム音を含む音を入力音として入力する。変換部２は、マイク１に入力した入力音をアナログの電気信号である入力音信号に変換する。また、変換部２は、変換された入力音信号から医療機器のアラーム音に用いられている帯域の音信号を取り出す。ここで、変換部２は、取り出した音信号がマイク１の近傍に設置されている医療機器から出たものかどうかをコンパレータなどにより選別する。そのため、コンパレータには、所定レベルのしきい値があらかじめ設定されている。このしきい値は、医療機器から出力される最小の音量の音に対応する音信号を検知するレベルに設定されている。これにより、コンパレータは、音信号がしきい値を超えた場合に、この音信号が認識処理の対象として有効であることを示すエーブル信号を検出部４に送る。また、コンパレータは、音信号がしきい値以下の場合に、この音信号の無視を示すディスエーブル信号を検出部４に送る。
【００１２】
また、変換部２は、取り出したアナログの音信号をデジタルの音信号、換言するとパルス信号に変換する。医療機器からのアラーム音は、通常、医療機器毎に異なり、また、基本的に単純な正弦波状の繰り返し音である。この結果、パルス信号は、医療機器毎に異なると共に単純に繰り返されるパルス列となる。アナログの音信号からパルス信号への変換は、周知の技術を用いて行われる。
【００１３】
第一の記憶部３は、検出対象の医療機器が発するアラーム音に対応するパルス信号の各パルス幅を周波数データとしてあらかじめ記憶している。記憶に際しては、まず、医療機器が発するアラーム音のレベルを検出する。一定レベル以上の音量の音である場合に、変換部２は、アナログの音信号をパルス信号にパルス変換する。そして、図示しないカウンタによりパルス信号の各パルス幅をカウントして測定し、第一の記憶部３は、各カウンタ値を順番に周波数データとして記憶する。
【００１４】
検出部４は、プログラミングすることができるＬＳＩなどにより構成されており、プログラミングにより、図２の構成を形成する。この構成により、検出部４は、変換部２からのパルス信号に対して認識処理を行う。つまり、検出部４は、変換部２からのパルス信号のパルスを受け取ると、このパルスの幅を測定する。また、検出部４は、第一の記憶部３から周波数データのパルスを読み出す。この後、検出部４は、読み出した周波数データのパルス幅とパルス信号のパルス幅とを比較してパルス幅の類似検出および類似した数をカウントすることにより一致検出を行い、マイク１の入力音に含まれるアラーム音が周波数データに対応するアラーム音と同じと見なしてよいかどうかを判断する。
【００１５】
インターフェース５は、本実施形態による医療機器監視装置とナースコール機器とを接続するためのものであり、検出部４は、インターフェース５を介して、判断結果をナースコール機器に報知する。
【００１６】
具体的には、検出部４のアドレスカウンタ４ａは、変換部２から出力されるパルス信号のパルス数をカウントし、カウント値に対応するメモリアドレスを生成して制御回路４ｂに出力する。制御回路４ｂは、第一の記憶部３からの周波数データの読み出しを制御する。つまり、制御回路４ｂは、アドレスカウンタ４ａからメモリアドレスを受け取ると、このメモリアドレスに記憶されているパルス幅を第一の記憶部３から読み出してパルス幅比較回路４ｄに送る。これにより、制御回路４ｂは周波数データの先頭のパルス幅から順に読み出してパルス幅比較回路４ｄに送る。
【００１７】
一方、検出部４のパルス幅測定回路４ｃは、変換部２から受け取ったパルス信号の幅を順に測定し、測定結果であるパルス幅をパルス幅比較回路４ｄに送る。パルス幅比較回路４ｄは、パルス幅測定回路４ｃから受け取ったパルス信号のパルス幅と制御回路４ｂから受け取った周波数データのパルス幅とを比較する。パルス幅比較回路４ｄは、パルス幅測定回路４ｃが受け取ったパルス信号のパルス幅が制御回路４ｂから受け取った周波数データのパルス幅の所定範囲内（例えば、９８％〜１０２％など）である場合に両者が類似するという判定結果をパルス幅類似カウンタ４ｅに送る。そして、パルス幅類似カウンタ４ｅは、類似するパルスの数をカウントしていく。一致検出回路４ｆは、パルス幅類似カウンタ４ｅのカウントしたパルスの数が所定数以上であれば、変換部２から受け取ったパルス信号が第一の記憶部３に記憶されている周波数データに対応するパルス信号と一致したと見なす一致検出を行う。
【００１８】
例えば、第一の記憶部３が記憶しているパルス幅の数Ｎ（例えば５１２個）の一定割合以上（例えば２５％以上）の数値であれば、一致検出を行う。そして、一致検出回路４ｆは、二つのパルス信号が一致したと判断すると、インターフェース５を介して、ナースコール機器に医療機器が異常状態であることを報知する。ここで、一致検出回路４ｆは、変換部２のコンパレータからエーブル信号を受け取っている間だけ一致検出を行い、変換部２のコンパレータからディスエーブル信号を受け取っている間は一致検出を休止する。
【００１９】
テスト用制御部６は、第二の記憶部７、テスト操作部８、再生部９を後述するように制御する。第二の記憶部７は、検出対象の医療機器が発するアラーム音をテスト用の音声データとして記憶する。ここで、第二の記憶部７に記憶されるテスト用の音声データは、後述する再生部９により再生可能であれば、どのような形態で記憶されていても良い。また、テスト用の音声データを記憶する場合には、先ず、認識対象の医療機器が発するアラーム音をあらかじめ録音する。つまり、この医療機器の近傍にマイク１を設置し、図示しない録音開始操作部を操作して、医療機器のアラーム音を鳴らすと、テスト用制御部６は、第二の記憶部７にアラーム音をテスト用の音声として記憶する。なお、本実施形態による医療機器監視装置を複数の医療機器に対して使用する場合には、それぞれのアラーム音を識別可能に第二の記憶部７に記憶しておく。
【００２０】
テスト操作部８は、本実施形態による医療機器監視装置のテスト動作を行う場合に操作されるものである。再生部９は、第二の記憶部７に記憶されているテスト用の音声データを読み出して再生するものであり、第二の記憶部７に記憶されているテスト用の音声データの形態に応じて構成が異なる。再生部９の再生処理は、周知の技術を用いて実現可能である。スピーカ１０は、再生部９により再生されたテスト用の音声データをテスト用の音声として出力するもので、マイク１に対して適度な距離を持って配置されることが好ましい。
【００２１】
テスト操作部８が操作されると、テスト用制御部６は、再生部９およびスピーカ１０を動作させる。再生部９は、第二の記憶部７からテスト用の音声データを読み出して再生処理を行う。スピーカ１０は、再生部９により再生されたテスト用の音声データをテスト用の音声として出力する。この状態で、テスト用制御部６は、マイク１、変換部２、第一の記憶部３、検出部４、インターフェース５を動作させる。マイク１は、スピーカ１０が発するテスト用の音声を入力音として入力する。変換部２は、マイク１に入力した入力音をアナログの電気信号である入力音信号に変換する。また、変換部２は、変換された入力音信号から医療機器のアラーム音に用いられている帯域の音信号を取り出す。また、変換部２は、取り出したアナログの音信号をデジタルの音信号、換言するとパルス信号に変換する。
【００２２】
検出部４は、変換部２からのパルス信号に対して認識処理を行う。つまり、検出部４は、変換部２からのパルス信号のパルスを受け取ると、このパルスの幅を測定する。また、検出部４は、第一の記憶部３から周波数データのパルスを読み出す。この後、検出部４は、読み出した周波数データのパルス幅とパルス信号のパルス幅とを比較してパルス幅の類似検出および類似した数をカウントすることにより一致検出を行い、マイク１の入力音に含まれるアラーム音が周波数データに対応するアラーム音と同じと見なしてよいかどうかを判断する。テスト用制御部６は、検出部４から判断結果を示すデータを入力し、一致するという判断結果の場合には、医療機器監視装置が正常であることを図示しない報知部により報知する。一方、一致しないという判断結果の場合には、医療機器監視装置が異常状態であることを報知部により報知する。
の音信号を取り出し、この音信号をコンパレータ４と変換回路５とに送る。
【００２３】
以上詳しく説明したように、本実施形態によれば、医療機器が発するアラーム音を変換したパルス信号の各パルスの幅を周波数データとして第一の記憶部３にあらかじめ記憶しておく。この状態で、医療機器がアラーム音を発すると、マイク１はアラーム音を含む入力音を入力し、変換部２は、入力音を入力音信号に変換し、この入力音信号からアラーム音の帯域の信号を取り出してパルス信号に変換する。検出部４は、変換部２により変換されたパルス信号のパルスの幅と、第一の記憶部３から読み出した周波数データのパルス幅とが類似するかどうかを判断し、類似したパルスの数により周波数データとパルス信号との一致を判定する。一方で、アラーム音をテスト用の音声データとして第二の記憶部７に記憶する。この状態でテスト操作部８が操作されると、テスト用制御部６は、第二の記憶部７に記憶されたテスト用の音声データを再生部９により再生してスピーカ１０からテスト用の音声として出力する。そして、出力されたテスト用の音声をマイク１により入力し、変換部２によりテスト用のパルス信号に変換して、周波数データと一致するか否かを検出部４により判定するようにしている。
【００２４】
これにより、医療機器が発するアラーム音と同等のアラーム音が音声データとして第二の記憶部７に記憶されていて、テスト時には、その音声データをテスト用の音声としてスピーカ１０から出力し、マイク１から入力して、実際の処理と同様に第一の記憶部３に記憶されている周波数データとの比較が行われるので、必要な医療機器を用意するなどの多大な労力をかけることなく、医療機器監視装置単体でも容易に動作テストなどの点検を行うことができる。
【００２５】
なお、上記実施形態は、本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【図面の簡単な説明】
【００２６】
【図１】本実施形態による医療機器監視装置の構成例を示すブロック図である。
【図２】本実施形態による医療機器監視装置の検出部の構成例を示すブロック図である。
【符号の説明】
【００２７】
１    マイク
２    変換部
３    第一の記憶部
４    検出部
５    インターフェース
６    テスト用制御部
７    第二の記憶部
８    テスト操作部
９    再生部
１０    スピーカ
【図１】
2009056118.tif 000003
【図２】
2009056118.tif 000004